(57)【要約】【課題】受信データをユーザーがデータ処理し、その処理したデータに最適な印刷手段を自動的に選択し印刷する自動画像印刷システム及びその方法を提供すること。【解決手段】固定通信装置２と、固定通信装置２と通信を行なう無線通信手段１２を備えた移動通信装置３と、移動通信装置３に接続されたデータ受信手段１３と印刷手段１４を備えた画像形成装置４からなる自動画像印刷システム１であって、固定通信装置２は移動通信装置３と通信するための通信手段１０と、データを受信するＦＡＸ受信手段５と、受信データの種類を判別するデータ判別手段６と、受信データのデータ変換処理を行なう画像処理変換手段７と、画像処理変換手段７により得られたデータを最適な印刷手段で印刷することを選択する最適印刷選択手段８とを有し、これによりユーザーが受信データに所望のデータ処理を行ない、処理したデータに最適な印刷手段を自動的に選択し印刷する。【選択図】図１
2006166304.tif 000002
【特許請求の範囲】
【請求項１】
受信データの種類に応じて最適な印刷手段を選択し印刷する自動画像印刷システムであって、固定通信装置と、この固定通信装置と通信を行なう無線通信手段を備えた移動通信装置と、この移動通信装置に接続されたデータ受信手段と印刷手段を備えた画像形成装置からなり、前記固定通信装置は種々のデータを印刷する印刷手段と、前記移動通信装置と通信するための通信手段と、種々のデータを受信するＦＡＸ受信手段と、受信データの種類を判別するデータ判別手段と、受信データのデータ変換処理を行なう画像処理変換手段と、この画像処理変換手段により得られたデータを最適な印刷手段で印刷することを選択する最適印刷選択手段とを備えた自動画像印刷システム。
【請求項２】
前記移動通信装置と、この移動通信装置に接続された画像形成装置を複数備えた請求項１に記載の自動画像印刷システム。
【請求項３】
印刷手段に優先順位を設定し、自動で印刷手段を選択できる優先順位設定手段を前記固定通信装置に付加した請求項１に記載の自動画像印刷システム。
【請求項４】
受信したデータを外部記憶装置へ保存する外部データ保存手段を前記固定通信装置または前記移動通信装置または前記画像形成装置のいずれかに付加した請求項１または２に記載の自動画像印刷システム。
【請求項５】
受信したデータのうち、ユーザーが保存したいデータを選択するデータ選択手段を前記固定通信装置または前記移動通信装置または前記画像形成装置のいずれかに付加した請求項１から３いずれか１項に記載の自動画像印刷システム。
【請求項６】
前記外部記憶装置の残容量を取得する残容量取得手段を前記固定通信装置または前記移動通信装置または前記画像形成装置のいずれかに付加した請求項３または４に記載の自動画像印刷システム。
【請求項７】
前記残容量取得手段によって取得したデータサイズに応じて最適な保存方法を選択する最適画像保存手段を前記固定通信装置または前記移動通信装置または前記画像形成装置のいずれかに付加した請求項５に記載の自動画像印刷システム。
【請求項８】
前記移動通信装置または前記画像形成装置が使用できない時に転送するデータを一時的に退避させる退避手段を前記固定通信装置または前記移動通信装置のいずれかに付加した請求項１または２に記載の自動画像印刷システム。
【請求項９】
前記退避手段に保存されているデータを前記移動通信装置および前記画像形成装置に再送する再送手段を前記固定通信装置または前記移動通信装置のいずれかに付加した請求項７に記載の自動画像印刷システム。
【請求項１０】
受信データの種類に応じて最適な印刷手段を選択し印刷する自動画像印刷方法であって、固定通信装置と、この固定通信装置と通信を行なう無線通信ステップを備えた移動通信装置と、この移動通信装置に接続されたデータ受信ステップと印刷ステップを備えた画像形成装置からなり、前記固定通信装置は種々のデータを印刷する印刷ステップと、前記移動通信装置と通信するための通信ステップと、種々のデータを受信するＦＡＸ受信ステップと、受信データの種類を判別するデータ判別ステップと、受信データのデータ変換処理を行なう画像処理変換ステップと、この画像処理変換ステップにより得られたデータを最適な印刷手段で印刷することを選択する最適印刷選択ステップとを備えた自動画像印刷方法。
【請求項１１】
印刷手段に優先順位を設定し、自動で印刷手段を選択できる優先順位設定ステップを前記固定通信装置に付加した請求項１０に記載の自動画像印刷方法。
【請求項１２】
受信したデータを外部記憶装置へ保存する外部データ保存ステップを前記固定通信装置または前記移動通信装置または前記画像形成装置のいずれかに付加した請求項１０または１１に記載の自動画像印刷方法。
【請求項１３】
受信したデータのうち、ユーザーが保存したいデータを選択するデータ選択ステップを前記固定通信装置または前記移動通信装置または前記画像形成装置のいずれかに付加した請求項１０から１２いずれか１項に記載の自動画像印刷方法。
【請求項１４】
前記外部記憶装置の残容量を取得する残容量取得ステップを前記固定通信装置または前記移動通信装置または前記画像形成装置のいずれかに付加した請求項１２または１３に記載の自動画像印刷方法。
【請求項１５】
前記残容量取得ステップによって取得したデータサイズに応じて最適な保存方法を選択する最適画像保存ステップを前記固定通信装置または前記移動通信装置または前記画像形成装置のいずれかに付加した請求項１４記載の自動画像印刷方法。
【請求項１６】
前記移動通信装置または前記画像形成装置が使用できない時に転送するデータを一時的に退避させる退避ステップを前記固定通信装置または前記移動通信装置のいずれかに付加した請求項１０または１１に記載の自動画像印刷方法。
【請求項１７】
前記退避ステップに保存されているデータを前記移動通信装置および前記画像形成装置に再送する再送ステップを前記固定通信装置または前記移動通信装置のいずれかに付加した請求項１６に記載の自動画像印刷方法。
【請求項１８】
自動画像印刷方法の印刷手順を実現するプログラムを格納するコンピュータ読取り可能な記録媒体であって請求項１０から１７のいずれか１項に記載の自動画像印刷方法に含まれるステップを実行させるためのプログラムを格納したコンピュータ読取り可能な記録媒体。
【発明の詳細な説明】
【技術分野】
【０００１】
本発明は、受信データの種類に応じて最適な印刷手段を選択し印刷する自動画像印刷システムであって、受信データをユーザーがデータ処理し、その処理したデータに最適な印刷手段を自動的に選択する自動画像印刷システム及びその方法に関するものである。
【背景技術】
【０００２】
従来、この種の自動画像印刷システムは、受信データの内容およびプリンタ選択テーブルから導かれるプリンタの能力と照らし合わせた上で自動的に最適のプリンタに受信データが転送され印刷されていた。
【０００３】
図２０は従来の固定通信装置の内部構成を示すブロック図である。
【０００４】
図２０において、２０１は従来の固定通信装置で、その内部構成は、基本的な機能はサーバアプリケーションがインストールされるネットワークＯＳにより提供されるＬＡＮ制御部２０２と、サーバ管理下のデバイスやクライアントとの個別の通信処理を内部処理の結果を踏まえ前記ＬＡＮ制御部２０２を介して行なうトランザクション管理部２０５と、デバイス側、クライアント側からの非同期に転送される各種要求メッセージを一旦内部的にキュー管理（先に入力したデータが先に出力されるというデータ構造の一種。以下Ｑｕｅｕｅとする。）し、逐次要求内容に応じた処理をしているリクエストＱｕｅｕｅ管理部２０６と、デバイス側、クライアント側、場合によってはサーバ内からの要求内容に添って各種ジョブ処理部に処理を渡すサービス管理部２０７と、接続されるユーザ（クライアント）、デバイスの管理に関するジョブの処理を行なうユーザデバイス管理部２１０とを有し、例えば各クライアント、デバイスからの接続（ログイン）要求処理の判断、各ユーザ用に管理された文書情報、アドレス情報のハンドリングならびにデバイス側の処理能力、ジョブ処理状況、リソース状態等を管理し制御する。
【０００５】
サーバ管理者向けにサーバの設定、データのバックアップ、サービス用ログデータの取得等のサービス機能を提供するサーバ管理部２１１と、各種ジョブ処理全般に関する管理を扱うジョブ管理部２１２は、必要に応じてスケジューラ２１３に制御権を渡し、その管理下で各種ジョブ群２１４を実行するようになっている。
【０００６】
サーバで扱う各種データは、原則としてメモリ管理部２０８の管理下でデータベース２０９に蓄積、管理され、必要に応じて参照読み出しが行なわれる。
【０００７】
更にモデム制御部２０３はサーバに実装／接続されるモデムを制御するもので、これはＦＡＸ制御部２０４の管理下でコントロールされ、前記ＦＡＸ制御部２０４はトランザクション管理部２０５を介してサーバに管理されたＦＡＸ送信ジョブを処理したり、直接受信処理したＦＡＸ受信文書をサーバ側に転送処理する機能を有する（例えば、特許文献１参照）。
【０００８】
以上のように構成された固定通信装置について、以下にその動作を説明する。
【０００９】
図２１は従来の固定通信装置のＦＡＸ受信ジョブ処理を示すフローチャートである。
【００１０】
ステップＳ２１５では、ＦＡＸ受信ジョブがあると、ＦＡＸ受信データと配信処理用のデータとを合せて、ジョブデータとしてデバイス側から転送される。
【００１１】
ステップＳ２１６では、受取ったＦＡＸ受信画像データを暫定的に一般受信文書として登録処理する。
【００１２】
ステップＳ２１７では、付加された配信処理データの内容を解析する。
【００１３】
ステップＳ２１８では、明示的に送信宛先としてフォルダＩＤ（クライアント専用フォルダ、もしくは所定のパブリックフォルダ）が指示されているかを確認し、指示がされていた場合は、ステップＳ２１９で指定されたユーザフォルダもしくは指定のパブリックフォルダへ文書登録して処理を終了する。
【００１４】
ステップＳ２２０では、ＦＡＸ送信元ダイヤルデータが付加されているかの確認を行ない、送信元ダイヤルデータがあれば、ステップＳ２２１で対応するＦＡＸ送信元別フォルダが設定されているかの確認をし、所定のフォルダが設定されていればステップＳ２２２で対応する指定共有フォルダへ文書登録をして処理を終了する。
【００１５】
ステップＳ２２３では、受信回線フォルダが設定されているかの確認を行ない、設定があれば、ステップＳ２２４で転送元のデバイス、回線ポート（受信回線）に対応したフォルダの設定を確認し、所定のフォルダが設定されていればステップＳ２２５で対応する指定共有フォルダへ文書登録をして処理を終了する。
【００１６】
ステップＳ２２６では、自動配信処理モードの設定を確認し、もしその設定がなされていれば、ステップＳ２２７に進み、配信先が未定の文書を自動ルーティングジョブに渡して配信処理の扱いを委託し処理を終了する。
【００１７】
ここまでで、登録すべきフォルダが確定しない受信文書は、強制的にデフォルトの共通フォルダに登録するか、或いは、一般受信文書として蓄積管理し、所定のクライアントから手動ルーティングジョブを起動して手動で所定のユーザフォルダへ文書を転送処理するようになっている。
【００１８】
ステップＳ２２８では、自動印刷モードが設定されているか否かの確認をし、ここで設定されていればステップＳ２２９に進み、配信先が未確定の文書としてプリントジョブに変換され、登録されて処理は終了する。
【００１９】
このプリントジョブは受信文書の内容およびプリンタの選択テーブルから導かれるプリンタの能力とを照らし合わせた上で、自動的に最適のプリンタに転送される。
【００２０】
ステップＳ２２８で、自動印刷モードか否かを判断しているが、登録すべきフォルダが確定しない受信文書は常にプリントジョブに変換され、プリント出力されることとしてもよい。
【特許文献１】特開２００１−４３０３５号公報
【発明の開示】
【発明が解決しようとする課題】
【００２１】
しかしながら、上記従来の固定通信装置の方法では、単にＦＡＸ受信した受信文書の内容とプリンタ選択テーブルから導かれるプリンタの能力とを照らし合せた上で、最適のプリンタに転送し印刷するだけで、ユーザーが受信文書の内容をユーザーの意向に合わせて画像処理を行なった上で最適なプリンタに転送するということができないという問題点を有していた。
【００２２】
本発明は上記問題点を解決するものであり、種々の受信データをユーザーがデータ処理し、その処理したデータに最適な印刷手段を自動的に選択する自動画像印刷システム及びその方法を提供することを目的とするものである。
【課題を解決するための手段】
【００２３】
本発明は上記目的を達成するために、受信データの種類に応じて最適な印刷手段を選択し印刷する自動画像印刷システムであって、受信データをユーザーがデータ処理し、その処理したデータに応じて最適な印刷手段を自動的に選択し印刷するという構成を備えている。
【００２４】
この構成により、ユーザーが受信データに所望のデータ処理を行なうことができ、その上で処理したデータに最適な印刷手段を自動的に選択し印刷することができるという作用を達成することができる。
【発明の効果】
【００２５】
以上のように本発明によれば、受信データの種類に応じて最適な印刷手段を選択し印刷する自動画像印刷システムであって、固定通信装置と、この固定通信装置と通信を行なう無線通信手段を備えた移動通信装置と、この移動通信装置に接続されたデータ受信手段と印刷手段を備えた画像形成装置からなり、前記固定通信装置は種々のデータを印刷する印刷手段と、前記移動通信装置と通信するための通信手段と、種々のデータを受信するＦＡＸ受信手段と、受信データの種類を判別するデータ判別手段と、受信データのデータ変換処理を行なう画像処理変換手段と、この画像処理変換手段により得られたデータを最適な印刷手段で印刷することを選択する最適印刷選択手段とを設けた構成により、ユーザーが受信データに所望のデータ処理を行なうことができ、その上で処理したデータに最適な印刷手段を自動的に選択し印刷することができるという効果が得られる。
【発明を実施するための最良の形態】
【００２６】
本発明の自動画像印刷システムは、受信データの種類に応じて最適な印刷手段を選択し印刷する自動画像印刷システムであって、固定通信装置と、この固定通信装置と通信を行なう無線通信手段を備えた移動通信装置と、この移動通信装置に接続されたデータ受信手段と印刷手段を備えた画像形成装置からなり、前記固定通信装置は種々のデータを印刷する印刷手段と、前記移動通信装置と通信するための通信手段と、種々のデータを受信するＦＡＸ受信手段と、受信データの種類を判別するデータ判別手段と、受信データのデータ変換処理を行なう画像処理変換手段と、この画像処理変換手段により得られたデータを最適な印刷手段で印刷することを選択する最適印刷選択手段とを設けた構成を有する。
【００２７】
これにより、ユーザーが受信データに所望のデータ処理を行なうことができ、その上で処理したデータに最適な印刷手段を自動的に選択し印刷することができるという効果が得られる。
【００２８】
また、移動通信装置と、この移動通信装置に接続された画像形成装置を複数備えた構成を有する。
【００２９】
これにより、複数の印刷手段からユーザーの所望のデータ処理に適した印刷手段を選択し自動印刷できるという効果が得られる。
【００３０】
また、印刷手段に優先順位を設定し、自動で印刷手段を選択できる優先順位設定手段を固定通信装置に付加した構成を有する。
【００３１】
これにより、選択された最適な印刷手段が現在使用中で使用できない場合、ユーザーの所望のデータ処理に適した印刷手段を優先度にしたがって選択し自動印刷できるという効果が得られる。
【００３２】
また、受信したデータを外部記憶装置へ保存する外部データ保存手段を固定通信装置または移動通信装置または画像形成装置のいずれかに付加した構成を有する。
【００３３】
これにより、ユーザーが所望の保存形式で受信データを保存でき、再度そのデータを使う場合は外部記憶装置より呼出してデータ処理行なったり印刷を迅速に行なったりすることができるという効果が得られる。
【００３４】
また、受信したデータのうち、ユーザーが保存したいデータを選択するデータ選択手段を固定通信装置または移動通信装置または画像形成装置のいずれかに付加した構成を有する。
【００３５】
これにより、受信したデータのうち特定の一部分だけを選択して保存することができ、再度そのデータを使う場合は外部記憶装置より呼出してデータ処理行なったり印刷を迅速に行なったりすることができるという効果が得られる。
【００３６】
また、外部記憶装置の残容量を取得する残容量取得手段を固定通信装置または移動通信装置または画像形成装置のいずれかに付加した構成を有する。
【００３７】
これにより、受信データを保存するメディアの残容量を取得することでメディア選択の判断基準とすることができ、残容量に応じて受信データを保存できるかどうかを簡単に把握できるという効果が得られる。
【００３８】
また、前記残容量取得手段によって取得したデータサイズに応じて最適な保存方法を選択する最適画像保存手段を固定通信装置または移動通信装置または画像形成装置のいずれかに付加した構成を有する。
【００３９】
これにより、残容量に応じた保存形式を選択することができ、保存できないということを回避できるという効果が得られる。
【００４０】
また、前記移動通信装置または前記画像形成装置が使用できない時に転送するデータを一時的に退避させる退避手段を固定通信装置または移動通信装置のいずれかに付加した構成を有する。
【００４１】
これにより、前記移動通信装置または前記画像形成装置に再度データ転送する際に、その受信データを利用できるという効果が得られる。
【００４２】
また、前記退避手段に保存されているデータを前記移動通信装置および前記画像形成装置に再送する再送手段を固定通信装置または移動通信装置のいずれかに付加した構成を有する。
【００４３】
これにより、前記移動通信装置または前記画像形成装置にデータ転送することを再度試行できるという効果が得られる。
【００４４】
本発明の自動画像印刷方法は、受信データの種類に応じて最適な印刷手段を選択し印刷する自動画像印刷方法であって、固定通信装置と、この固定通信装置と通信を行なう無線通信ステップを備えた移動通信装置と、この移動通信装置に接続されたデータ受信ステップと印刷ステップを備えた画像形成装置からなり、前記固定通信装置は種々のデータを印刷する印刷ステップと、前記移動通信装置と通信するための通信ステップと、種々のデータを受信するＦＡＸ受信ステップと、受信データの種類を判別するデータ判別ステップと、受信データのデータ変換処理を行なう画像処理変換ステップと、この画像処理変換ステップにより得られたデータを最適な印刷手段で印刷することを選択する最適印刷選択ステップとを備えた構成を有する。
【００４５】
これにより、ユーザーが受信データに所望のデータ処理を行なうことができ、その上で処理したデータに最適な印刷手段を自動的に選択し印刷することができるという効果が得られる。
【００４６】
また、印刷手段に優先順位を設定し、自動で印刷手段を選択できる優先順位設定ステップを固定通信装置に付加した構成を有する。
【００４７】
これにより、選択された最適な印刷手段が現在使用中で使用できない場合、ユーザーの所望のデータ処理に適した印刷手段を優先度にしたがって選択し自動印刷できるという効果が得られる。
【００４８】
また、受信したデータを外部記憶装置へ保存する外部データ保存ステップを固定通信装置または移動通信装置または画像形成装置のいずれかに付加した構成を有する。
【００４９】
これにより、ユーザーが所望の保存形式で受信データを格納でき、再度そのデータを使う場合は外部記憶装置より呼出してデータ処理行なったり印刷を迅速に行なったりすることができるという効果が得られる。
【００５０】
また、受信したデータのうち、ユーザーが保存したいデータを選択するデータ選択ステップを固定通信装置または移動通信装置または画像形成装置のいずれかに付加した構成を有する。
【００５１】
これにより、受信したデータのうち特定の一部分だけを選択して保存することができ、再度そのデータを使う場合は外部記憶装置より呼出してデータ処理行なったり印刷を迅速に行なったりすることができるという効果が得られる。
【００５２】
また、前記外部記憶装置の残容量を取得する残容量取得ステップを固定通信装置または移動通信装置または画像形成装置のいずれかに付加した構成を有する。
【００５３】
これにより、受信データを保存するメディアの残容量を取得することでメディア選択の判断基準とすることができ、残容量に応じて受信データを保存できるかどうかを簡単に把握できるという効果が得られる。
【００５４】
また、前記残容量取得ステップによって取得したデータサイズに応じて最適な保存方法を選択する最適画像保存ステップを固定通信装置または移動通信装置または画像形成装置のいずれかに付加した構成を有する。
【００５５】
これにより、残容量に応じた保存形式を選択することができ、保存できないということを回避できるという効果が得られる。
【００５６】
また、前記移動通信装置または前記画像形成装置が使用できない時に転送するデータを一時的に退避させる退避ステップを固定通信装置または移動通信装置のいずれかに付加した構成を有する。
【００５７】
これにより、前記移動通信装置または前記画像形成装置に再度データ転送する際に、その受信データを利用できるという効果が得られる。
【００５８】
また、前記退避ステップに保存されているデータを前記移動通信装置および前記画像形成装置に再送する再送ステップを固定通信装置または移動通信装置のいずれかに付加した構成を有する。
【００５９】
これにより、前記移動通信装置または前記画像形成装置にデータ転送することを再度試行できるという効果が得られる。
【００６０】
本発明のコンピュータ記録媒体は、自動画像印刷方法の印刷手順を実現するプログラムを保存するコンピュータ記録媒体であって、前記各ステップのプログラムコードを保存することになる。
【００６１】
これにより、上記の各動作ステップが実現されることは言うまでもなく、上記記載の各効果と同等の効果を得ることができる。
【実施例】
【００６２】
以下、本発明の実施例における自動画像印刷システム及びその方法について、図面を参照しながら説明する。
【００６３】
（実施例１）
図１は本発明の実施例１における自動画像印刷システムの構成図である。
【００６４】
図１において、本発明の自動画像印刷システム１は、固定通信装置２と、この固定通信装置２と通信を行なう無線通信手段１２を備えた移動通信装置３と、この移動通信装置３に接続され前記移動通信装置３からデータを受信するデータ受信手段１３と、このデータ受信手段１３で受信したデータを印刷する印刷手段１４を備えた画像形成装置４から構成され、更に前記固定通信装置２は種々のデータを受信するＦＡＸ受信手段５と、受信データの種類を判別するデータ判別手段６と、受信データをユーザーが所望のデータ処理を行なうための条件を取得し、この取得した条件にしたがって画像変換処理を行なう画像処理変換手段７と、この画像変換処理手段７より得られたデータを最適な印刷手段で印刷することを選択する最適印刷選択手段８と、この固定通信装置２で印刷できる場合の印刷手段９と、前記移動通信装置３と通信するための通信手段１０と、印刷手段や印刷条件等の印刷情報を表示するための表示手段１１とで構成される。
【００６５】
以上のように構成された自動画像印刷システムの動作、すなわち自動画像印刷方法について説明する。
【００６６】
図２は、本発明の実施例１における自動画像印刷方法の動作を示すフローチャートである。
【００６７】
例えば固定通信装置２が、外部からＦＡＸ受信手段５を介して写真データやテキストデータやイラストデータ等のフルカラーやカラーやモノクロの種々のデータを受信し（ステップＳ２１）、画像処理のためのパラメータ（明るさ、エッジの強調をする／しない、鮮やかさ等）を取得し（ステップＳ２２）、データ判別手段６において受信したデータのビットマップのヘッダー情報のビット数や色数等の情報からカラーなのかモノクロなのかを判別する（ステップＳ２３）。
【００６８】
ここで、ユーザーが受信データに所望のデータ処理を行なうため、画像処理変換手段７で受信したデータがモノクロデータであれば２値化変換処理（誤差拡散法やディザ法等のよる２値化変換）を行ない（ステップＳ２４）、カラーデータであればＲＧＢ−ＣＭＹ変換（ステップＳ２５）を行なう。
【００６９】
ユーザーが受信データに所望のデータ処理をしおわると、そのデータ処理の結果から表示手段１１に印刷設定情報を表示しユーザーが設定した印刷設定情報を最適印刷選択手段８が取得し（ステップＳ２６）、この印刷設定情報から最適な印刷手段で印刷することを選択する。
【００７０】
印刷設定が前記固定通信装置２の印刷手段９で印刷ＯＫかどうかを判断し（ステップＳ２７）、印刷可能であればこの印刷手段９で印刷が行なわれ（ステップＳ３０）、印刷能力が不足し印刷不可と判断されると、前記固定通信装置２の通信手段１０を介して最適な印刷手段１４を備えた前記画像形成装置４が接続されている前記移動通信装置３にデータが転送される（ステップＳ２８）。
【００７１】
最適な印刷手段１４を備えた前記画像形成装置４が接続されている前記移動通信装置３は無線通信手段１２を介してデータを受信し、接続された前記画像形成装置４のデータ受信手段１３にデータを転送し（ステップＳ２９）、最適な印刷手段１４で印刷が行なわれる（ステップＳ３０）。
【００７２】
ここで、前記ステップにおいて外部からＦＡＸ受信手段５を介して写真データやテキストデータやイラストデータ等のフルカラーやカラーやモノクロの種々のデータを受信するステップＳ２１がＦＡＸ受信ステップ、データ判別手段６において受信したデータのビットマップのヘッダー情報のビット数や色数等の情報からカラーなのかモノクロなのかを判別するステップＳ２３がデータ判別ステップ、ユーザーが受信データに所望のデータ処理を行なうため、画像処理変換手段７で受信したデータがモノクロデータであれば２値化変換処理を行なうステップＳ２４と、カラーデータであればＲＧＢ−ＣＭＹ変換を行なうステップＳ２５とが画像処理変換ステップ、ユーザーが受信データに所望のデータ処理を終了すると、そのデータ処理の結果から表示手段１１に印刷設定情報を表示しユーザーが設定した印刷設定情報を最適印刷選択手段８が取得するステップＳ２６と、印刷設定が前記固定通信装置２の印刷手段９で印刷ＯＫかどうかを判断するステップＳ２７とが、最適印刷選択ステップ、前記固定通信装置２の通信手段１０を介して最適な印刷手段１４を備えた前記画像形成装置４が接続されている前記移動通信装置３にデータが転送されるステップＳ２８が通信ステップある。
【００７３】
以上のように本実施例１によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と前記印刷手段１４を備えた画像形成装置４からなり、前記固定通信装置２は種々のデータを印刷する前期印刷手段９と、前記移動通信装置３と通信するための通信手段１０と、種々のデータを受信するＦＡＸ受信手段５と、受信データの種類を判別するデータ判別手段６と、受信データのデータ変換処理を行なう画像処理変換手段７と、この画像処理変換手段７により得られたデータを最適な前記印刷手段９もしくは前記印刷手段１４で印刷することを選択する最適印刷選択手段８とを備えたことにより、ユーザーが受信データに所望のデータ処理を行なうことができ、その上で処理したデータに最適な前記印刷手段９もしくは前記印刷手段１４を自動的に選択し印刷することができる。
【００７４】
なお、移動通信装置３と、この移動通信装置３に接続された画像形成装置４を複数備えた構成にしてもよい。
【００７５】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【００７６】
記録媒体としては、ＣＤ−ＲやＣＤ−ＲＷ等の読み出し／書き込み可能なディスク、磁気ディスク、半導体メモリその他の記録媒体を用いることができる。
【００７７】
（実施例２）
以下、本発明の実施例２における自動画像印刷システム及びその方法について、図面を参照しながら説明する。
【００７８】
実施例２の自動画像印刷システムの構成は、基本的には図１の本発明の実施例１における自動画像印刷システムの構成と同様である。異なる点は図３に示す本発明の実施例２における固定通信装置２のブロック図において、印刷手段に優先順位を設定し自動で印刷手段を選択できる優先順位設定手段１５を固定通信装置２に付加した構成である。
【００７９】
以上のように構成された自動画像印刷システムの動作、すなわち自動画像印刷方法について説明する。
【００８０】
図４は本発明の実施例２における自動画像印刷方法の動作を示すフローチャート、図５は本発明の実施例２における自動画像印刷システムの構成の一例、図６は本発明の実施例２における印刷優先順位設定の一例である。
【００８１】
固定通信装置２が外部から種々のデータを受信し、ユーザーが受信データに所望のデータ処理を行なう各ステップは実施例１と同様であるためその動作の説明は省略する。
【００８２】
ユーザーが受信データに所望のデータ処理をしおわると、優先順位設定手段１５により設定された印刷手段の印刷優先情報を取得する（ステップＳ３１）。
【００８３】
印刷優先設定は、例えば図５に示すように自動画像印刷システム１において、固定通信装置２と、この固定通信装置２に登録されている移動通信装置２３ａと画像形成装置２３ｂからなるカラー印刷手段Ａ２３と、同じく移動通信装置２４ａと画像形成装置２４ｂからなるモノクロ印刷手段Ａ２４と、同じく移動通信装置２５ａと画像形成装置２５ｂからなるカラー印刷手段Ｂ２５とによって構成されているとする。
【００８４】
そして図６に示すように表示手段１１に表示され、Ａ．画質優先、Ｂ．速度優先、Ｃ．自動設定のいずれかに設定することができ、例えばＡ．画質優先やＢ．速度優先の１．にはカラー印刷手段Ａ、２．にはモノクロ印刷手段Ａ、３．にはカラー印刷手段Ｂ、そしてＣ．自動設定の１．には印刷手段９により印刷ができる固定通信装置２がローカル装置として登録されており、優先順位は番号が若いほど高く設定されている。
【００８５】
まず画質優先かどうかが判断され（ステップＳ３２）画質優先が選択されると、優先順位設定手段１５はカウンタ動作（初期値は０に設定）により、カウンタ値が登録印刷手段数より小さいとわかると一番優先度の高い印刷手段を選択し（ステップＳ３３）、最適印刷選択手段８は選択された優先度の高い印刷手段設定情報を取得し（ステップＳ３５）、その印刷手段が使用可能かどうかを確認し（ステップＳ３７）て印刷手段が使用可能であれば、選択された印刷手段にデータを転送し（ステップＳ３９）印刷する。
【００８６】
選択された印刷手段が使用不可の場合は、優先順位設定手段１５はカウンタ値を更新（カウンタ値をインクリメントする）し（ステップＳ３４）、ステップＳ３３、Ｓ３５、Ｓ３７の動作を繰り返し、カウンタ値が印刷手段数より大きくなると一定時間待って（ステップＳ３６）ステップＳ３５の動作に移行する。
【００８７】
また、ステップＳ３２で画質優先が選択されなかったときは、速度優先が選択されたかどうかを優先順位設定手段１５は判断し、速度優先であれば登録された印刷手段の中で一番優先度の高い印刷手段を選択し（ステップＳ３８）、最適印刷選択手段８は優先度の高い印刷手段設定情報を取得し（ステップＳ４０）、その印刷手段が使用可能かどうかを確認し（ステップＳ４１）、印刷手段が使用可能であれば、選択された印刷手段にデータを転送し（ステップＳ３９）印刷する。
【００８８】
選択された印刷手段が使用不可の場合は、ステップＳ４０、Ｓ４１の動作を繰り返す。
【００８９】
ここで、前記ステップにおいて画質優先かどうかを判断するステップＳ３２と、優先順位設定手段１５はカウンタ動作（初期値は０に設定）により、カウンタ値が印刷手段数より小さいとわかると一番優先度の高い印刷手段を選択するステップＳ３３と、選択された印刷手段が使用不可の場合は、優先順位設定手段１５がカウンタ値を更新（カウンタ値をインクリメントする）するステップＳ３４と、選択された印刷手段が使用可能となるまで一定時間待つステップＳ３６と、ステップＳ３２で画質優先が選択されなかったときに、速度優先が選択されたかどうかを優先順位設定手段１５は判断し、速度優先であれば登録された印刷手段の中で一番優先度の高い印刷手段を選択するステップＳ３８とが優先順位設定ステップである。
【００９０】
以上のように本実施例２によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、印刷手段に優先順位を設定し、自動で印刷手段を選択できる優先順位設定手段１５を固定通信装置２に付加したことにより、選択された最適な印刷手段が現在使用中で使用できない場合、ユーザーの所望のデータ処理に適した印刷手段を優先度にしたがって選択し自動印刷できる。
【００９１】
なお、優先順位設定手段１５において印刷手段の登録台数を更に増やすことは可能である。
【００９２】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【００９３】
記録媒体としては、ＣＤ−ＲやＣＤ−ＲＷ等の読み出し／書き込み可能なディスク、磁気ディスク、半導体メモリその他の記録媒体を用いることができる。
【００９４】
（実施例３）
以下、本発明の実施例３における自動画像印刷システム及びその方法について、図面を参照しながら説明する。
【００９５】
実施例３の自動画像印刷システムの構成は、基本的には図１の本発明の実施例１における自動画像印刷システムの構成と同様である。異なる点は図７に示す本発明の実施例３における固定通信装置２のブロック図において、受信したデータを外部記憶装置２２に保存するための外部データ保存手段１６を固定通信装置２に付加した構成である。
【００９６】
以上のように構成された自動画像印刷システムの動作、すなわち自動画像印刷方法について説明する。
【００９７】
図８は本発明の実施例３における自動画像印刷方法の動作を示すフローチャートである。
【００９８】
固定通信装置２が外部から種々のデータを受信し、ユーザーが受信データに所望のデータ処理を行なう各ステップは実施例１と同様であるためその動作の説明は省略する。
【００９９】
ユーザーが受信データに所望のデータ処理をしおわると、外部データ保存手段１６は処理後のデータをどのような保存形式（ＪＰＥＧ、ＴＩＦＦ、ＢＭＰ、ＰＮＧ等）で保存するかを決定し、固定通信装置２は保存方法情報を取得する（ステップＳ４２）。
【０１００】
データの保存形式が決定されると、外部記憶装置２２が固定通信装置２に接続されているかを確認し（ステップＳ４３）、外部記憶装置２２が接続されていることが確認できると、この外部記憶装置２２にデータを転送し（ステップＳ４４）データを保存する。
【０１０１】
ここで、前記ステップにおいて、外部データ保存手段１６は処理後のデータをどのような保存形式（ＪＰＥＧ、ＴＩＦＦ、ＢＭＰ、ＰＮＧ等）で保存するかを決定し、固定通信装置２は保存方法情報を取得するステップＳ４２と、データの保存形式が決定され外部記憶装置２２が固定通信装置２に接続されているかを確認するステップＳ４３と、外部記憶装置２２が接続されていると確認できると、この外部記憶装置２２にデータを転送するステップＳ４４とが外部データ保存ステップである。
【０１０２】
以上のように本実施例３によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、受信したデータを外部記憶装置２２へ保存する外部データ保存手段１６を固定通信装置２に付加したことにより、ユーザーが所望の保存形式で受信データを格納でき、再度そのデータを使う場合は外部記憶装置より呼出してデータ処理行なったり印刷を迅速に行なったりすることができる。
【０１０３】
なお、受信したデータを外部記憶装置２２に保存するための前記外部データ保存手段１６は移動通信装置３または画像形成装置４に付加した構成にしてもよい。
【０１０４】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１０５】
記録媒体としては、ＣＤ−ＲやＣＤ−ＲＷ等の読み出し／書き込み可能なディスク、磁気ディスク、半導体メモリその他の記録媒体を用いることができる。
【０１０６】
（実施例４）
以下、本発明の実施例４における自動画像印刷システム及びその方法について、図面を参照しながら説明する。
【０１０７】
実施例４の自動画像印刷システムの構成は、基本的には図１の本発明の実施例１における自動画像印刷システムの構成と同様である。異なる点は図９に示す本発明の実施例４における固定通信装置２のブロック図において、受信したデータのうち、ユーザーが保存したいデータを選択するデータ選択手段１７を固定通信装置２に付加した構成である。
【０１０８】
以上のように構成された自動画像印刷システムの動作、すなわち自動画像印刷方法について説明する。
【０１０９】
図１０は本発明の実施例４における自動画像印刷方法の動作を示すフローチャートである。
【０１１０】
固定通信装置２が外部から種々のデータを受信し、ユーザーが受信データに所望のデータ処理を行ない、どのような保存形式で処理データを保存するかの保存方法情報を取得する各ステップは実施例３と同様であるためその動作の説明は省略する。
【０１１１】
データの保存形式が決定されると、処理データを選択的に保存するかどうかを決定し、処理データを選択的に保存するとユーザーが選択し（ステップＳ４５）、データ選択手段１７によりどの処理データを保存するか保存データを決定（ステップＳ４６）、外部記憶装置２２が固定通信装置２に接続されているかを確認して（ステップＳ４３）外部記憶装置２２が接続されていることが確認できると、この外部記憶装置２２にデータを転送し（ステップＳ４４）データを保存する。
【０１１２】
処理データを選択的に保存しないとユーザーが選択すると、データ選択手段１７は処理した全てのデータを保存するかを決定し（ステップＳ４７）、全データ保存するとユーザーが選択すると外部記憶装置２２が固定通信装置２に接続されているかを確認して（ステップＳ４３）外部記憶装置２２が接続されていることが確認できると、この外部記憶装置２２にデータを転送し（ステップＳ４４）データを保存する。
【０１１３】
全データ保存しないとユーザーが選択すると処理データの保存はせずに（ステップＳ４８）これで動作を終了する。
【０１１４】
ここで、処理データを選択的に保存するかどうかを判断するステップＳ４５と、どの処理データを保存するか保存データを決定するステップＳ４６と、処理した全てのデータを保存するかを決定するステップＳ４７とがデータ選択ステップである。
【０１１５】
以上のように本実施例４によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、受信したデータのうち、ユーザーが保存したいデータを選択するデータ選択手段１７を固定通信装置２に付加したことにより、受信したデータのうち特定の一部分だけを選択して保存することができ、再度そのデータを使う場合は外部記憶装置より呼出してデータ処理行なったり印刷を迅速に行なったりすることができる。
【０１１６】
なお、受信したデータのうち、ユーザーが保存したいデータを選択する前記データ選択手段は移動通信装置３または画像形成装置４に付加した構成にしてもよい。
【０１１７】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１１８】
記録媒体としては、ＣＤ−ＲやＣＤ−ＲＷ等の読み出し／書き込み可能なディスク、磁気ディスク、半導体メモリその他の記録媒体を用いることができる。
【０１１９】
（実施例５）
以下、本発明の実施例５における自動画像印刷システム及びその方法について、図面を参照しながら説明する。
【０１２０】
実施例５の自動画像印刷システムの構成は、基本的には図１の本発明の実施例１における自動画像印刷システムの構成と同様である。異なる点は図１１に示す本発明の実施例５における固定通信装置２のブロック図において、外部記憶装置２２の残容量を取得する残容量取得手段１８を固定通信装置２に付加した構成である。
【０１２１】
以上のように構成された自動画像印刷システムの動作、すなわち自動画像印刷方法について説明する。
【０１２２】
図１２は本発明の実施例５における自動画像印刷方法の動作を示すフローチャートである。
【０１２３】
固定通信装置２が外部から種々のデータを受信し、ユーザーが受信データに所望のデータ処理を行ない、どのような保存形式で処理データを保存するかの保存方法情報取得してデータの保存形式が決定されると処理データを選択的に保存するかどうかを決定し、処理データを選択的に保存するかしないかをユーザーが選択して保存データを決定、外部記憶装置２２が固定通信装置２に接続されているかを確認する各ステップは実施例４と同様であるためその動作の説明は省略する。
【０１２４】
外部記憶装置２２が固定通信装置２に接続されていることが確認できると、残容量取得手段１８により外部記憶装置２２の残容量の情報を取得し（ステップＳ４９）、外部記憶装置２２の残容量と決定された保存データのサイズとを比較する（ステップＳ５０）。
【０１２５】
外部記憶装置２２の残容量が決定された保存データのサイズより大きければ、外部記憶装置２２に保存可能ということで保存データを外部記憶装置２２に転送する（ステップＳ４４）。
【０１２６】
ここで、外部記憶装置２２が固定通信装置２に接続されていることが確認できると、残容量取得手段１８により外部記憶装置２２の残容量の情報を取得するステップＳ４９と、外部記憶装置２２の残容量と決定された保存データのサイズとを比較するステップＳ５０とが残容量取得ステップである。
【０１２７】
以上のように本実施例５によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、外部記憶装置２２の残容量を取得する残容量取得手段１８を固定通信装置２に付加したことにより、受信データを保存するメディアの残容量を取得することでメディア選択の判断基準とすることができ、残容量に応じて受信データを保存できるかどうかを簡単に把握できる。
【０１２８】
なお、外部記憶装置２２の残容量を取得する前記残容量取得手段１８は移動通信装置３または画像形成装置４に付加した構成にしてもよい。
【０１２９】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１３０】
記録媒体としては、ＣＤ−ＲやＣＤ−ＲＷ等の読み出し／書き込み可能なディスク、磁気ディスク、半導体メモリその他の記録媒体を用いることができる。
【０１３１】
（実施例６）
以下、本発明の実施例６における自動画像印刷システム及びその方法について、図面を参照しながら説明する。
【０１３２】
実施例６の自動画像印刷システムの構成は、基本的には図１の本発明の実施例１における自動画像印刷システムの構成と同様である。異なる点は図１３に示す本発明の実施例６における固定通信装置２のブロック図において、残容量取得手段１８によって取得したデータサイズに応じて最適な保存方法を選択する最適画像保存手段１９を固定通信装置２に付加した構成である。
【０１３３】
以上のように構成された自動画像印刷システムの動作、すなわち自動画像印刷方法について説明する。
【０１３４】
図１４は本発明の実施例６における自動画像印刷方法の動作を示すフローチャート、図１５は本発明の実施例６における最適画像保存方法設定の一例である。
【０１３５】
固定通信装置２が外部から種々のデータを受信し、ユーザーが受信データに所望のデータ処理を行ない、どのような保存形式で処理データを保存するかの保存方法情報取得する各ステップは実施例３と同様であるためその動作の説明は省略する。
【０１３６】
外部記憶装置２２が固定通信装置２に接続されていることが確認できると（ステップＳ４３）、残容量取得手段１８により外部記憶装置２２の残容量の情報を取得する（ステップＳ４９）。
【０１３７】
最適画像保存方法設定は、図１４に示すように表示手段１１に表示され１．画質優先か２．サイズ優先にするかをユーザーが決定し、ユーザーが画質優先を選択したとすると次の表示画面となり保存形式（１．ＴＩＦＦ、２．ＢＭＰ、３．ＪＰＥＧ）を優先順位が高い順に表示し、サイズ優先を選択しても同様に次の表示画面となる。
【０１３８】
サイズ優先においては、ＪＰＥＧ圧縮率（６０％もしくは３０％）を選択できるものととし、優先順位は保存形式（１．ＪＰＥＧ１、２．ＪＰＥＧ２、３．ＢＭＰ、４．ＴＩＦＦ）の表示の通りである。
【０１３９】
例えばユーザーが画質優先を選択したとすると（ステップＳ５１）、最適画像保存手段１９はカウンタ動作（初期値は０に設定）により、カウンタ値が保存形式の番号より小さいとわかると一番優先度の高い保存形式を選択し（ステップＳ５２）、最適画像保存手段１９は選択された優先度の高い保存形式の保存方法情報を取得し（ステップＳ５３）、保存形式決定後のデータ保存サイズ情報を取得する（ステップＳ５５）。
【０１４０】
残容量取得手段１８により取得した外部記憶装置２２の残容量の情報と最適画像保存手段１９により取得したデータ保存サイズ情報を比較し（ステップＳ５６）、外部記憶装置２２の残容量がデータ保存サイズよりも大きければ、外部記憶装置２２に保存可能ということで保存データを外部記憶装置２２に転送する（ステップＳ４４）。
【０１４１】
また、残容量取得手段１８により取得した外部記憶装置２２の残容量の情報と最適画像保存手段１９により取得したデータ保存サイズ情報を比較し（ステップＳ５６）、外部記憶装置２２の残容量がデータ保存サイズよりも小さければ、カウンタ値を更新し次に優先度の高い保存形式でＯＫかどうかステップＳ５２、Ｓ５３、Ｓ５５、Ｓ５６を繰り返す。
【０１４２】
ここで、最適画像保存手段１９がカウンタ動作（初期値は０に設定）により、カウンタ値が保存形式の番号より小さいとわかると一番優先度の高い保存形式を選択するステップＳ５２と、選択された優先度の高い保存形式の保存方法情報を取得するステップＳ５３と、保存形式決定後のデータ保存サイズ情報を取得するステップＳ５５と、残容量取得手段１８により取得した外部記憶装置２２の残容量の情報とデータ保存サイズ情報を比較するステップＳ５６とが最適画像保存ステップである。
【０１４３】
以上のように本実施例６によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、残容量取得手段１８によって取得したデータサイズに応じて最適な保存方法を選択する最適画像保存手段１９を固定通信装置２に付加したことにより、残容量に応じた保存形式を選択することができ、保存できないということを回避できる。
【０１４４】
なお、前記残容量取得手段１８によって取得したデータサイズに応じて最適な保存方法を選択する前記最適画像保存手段１９は移動通信装置３または画像形成装置４に付加した構成にしてもよい。
【０１４５】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１４６】
記録媒体としては、ＣＤ−ＲやＣＤ−ＲＷ等の読み出し／書き込み可能なディスク、磁気ディスク、半導体メモリその他の記録媒体を用いることができる。
【０１４７】
（実施例７）
以下、本発明の実施例７における自動画像印刷システム及びその方法について、図面を参照しながら説明する。
【０１４８】
実施例７の自動画像印刷システムの構成は、基本的には図１の本発明の実施例１における自動画像印刷システムの構成と同様である。異なる点は図１６に示す本発明の実施例７における固定通信装置２のブロック図において、移動通信装置３または画像形成装置４が使用できない時に転送するデータを一時的に退避させる退避手段２０を固定通信装置２に付加した構成である。
【０１４９】
以上のように構成された自動画像印刷システムの動作、すなわち自動画像印刷方法について説明する。
【０１５０】
図１７は本発明の実施例７における自動画像印刷方法の動作を示すフローチャートである。
【０１５１】
固定通信装置２が外部から種々のデータを受信し、ユーザーが受信データに所望のデータ処理を行ない印刷設定情報を取得し固定通信装置２の印刷手段９でＯＫかどうかの判断をする各ステップは実施例１と同様であるためその動作の説明は省略する。
【０１５２】
最適印刷選択手段８により最適な印刷手段が固定通信装置２の印刷手段９ではないと判断されると（ステップＳ２７）、選択された最適な印刷手段の移動通信装置３や画像形成装置４が使用可能かを判断し（ステップＳ５７）、使用可能であれば固定通信装置２の通信手段１０を介して最適な印刷手段の移動通信装置３にデータが転送され（ステップＳ２８）、最適な印刷手段の移動通信装置３は無線通信手段１２を介してデータを受信し、接続された画像形成装置４のデータ受信手段１３にデータを転送し（ステップＳ２９）、印刷手段１４で印刷が行なわれる（ステップＳ３０）。
【０１５３】
選択された最適な印刷手段の移動通信装置３や画像形成装置４が使用不可のときは、退避手段２０が転送するデータを固定通信装置２の退避領域に退避させるようにする（ステップＳ５８）。
【０１５４】
ここで、選択された最適な印刷手段の移動通信装置３や画像形成装置４が使用不可のときは、退避手段２０が転送するデータを固定通信装置２の退避領域に退避させるようにするステップＳ５８が退避ステップである。
【０１５５】
以上のように本実施例７によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、移動通信装置３または画像形成装置４が使用できない時に転送するデータを一時的に退避させる退避手段２０を固定通信装置２に付加したことにより、移動通信装置３または画像形成装置４に再度データ転送する際に、その受信データを利用できる。
【０１５６】
なお、画像形成装置４が使用できない時は転送するデータを一時的に退避させる前記退避手段２０は移動通信装置３に付加した構成にしてもよい。
【０１５７】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１５８】
記録媒体としては、ＣＤ−ＲやＣＤ−ＲＷ等の読み出し／書き込み可能なディスク、磁気ディスク、半導体メモリその他の記録媒体を用いることができる。
【０１５９】
（実施例８）
以下、本発明の実施例８における自動画像印刷システム及びその方法について、図面を参照しながら説明する。
【０１６０】
実施例８の自動画像印刷システムの構成は、基本的には図１の本発明の実施例１における自動画像印刷システムの構成と同様である。異なる点は図１８に示す本発明の実施例８における固定通信装置２のブロック図において、退避手段２０に保存されているデータを移動通信装置３および画像形成装置４に再送する再送手段２１を固定通信装置２に付加した構成である。
【０１６１】
以上のように構成された自動画像印刷システムの動作、すなわち自動画像印刷方法について説明する。
【０１６２】
図１９は本発明の実施例８における自動画像印刷方法の動作を示すフローチャートである。
【０１６３】
固定通信装置２が外部から種々のデータを受信し、ユーザーが受信データに所望のデータ処理を行ない印刷設定情報を取得し固定通信装置２の印刷手段９でＯＫかどうかの判断したり、最適印刷選択手段８が選択した最適な印刷手段の移動通信装置３や画像形成装置４が使用可能かを判断したり、使用可能であれば移動通信装置３にデータが転送し画像形成装置４で印刷したり、使用不可のときは退避手段２０が転送するデータを退避させる各ステップは実施例７と同様であるためその動作の説明は省略する。
【０１６４】
退避手段２０によって固定通信装置２の退避領域に退避すると、一定時間経過したのち移動通信装置３や画像形成装置４が使用可能かを判断し（ステップＳ５９）、使用可能であれば再送手段２１が転送データの再送準備をし（ステップＳ６０）、固定通信装置２の通信手段１０を介して最適な印刷手段の移動通信装置３にデータが転送され（ステップＳ２８）、最適な印刷手段の移動通信装置３は無線通信手段１２を介してデータを受信し、接続された画像形成装置４のデータ受信手段１３にデータを転送し（ステップＳ２９）、印刷手段１４で印刷が行なわれる（ステップＳ３０）。
【０１６５】
ここで、退避手段２０によって固定通信装置２の退避領域に退避すると、一定時間経過したのち移動通信装置３や画像形成装置４が使用可能かを判断するステップＳ５９と、使用可能であれば再送手段２１が転送データの再送準備をするステップＳ６０と固定通信装置２の通信手段１０を介して最適な印刷手段の移動通信装置３にデータが転送するステップＳ２８とが再送ステップである。
【０１６６】
以上のように本実施例８によれば、受信データの種類に応じて最適な印刷手段９もしくは印刷手段１４を選択し印刷する自動画像印刷システム１であって、固定通信装置２と、この固定通信装置２と通信を行なう無線通信手段１２を備えた移動通信装置３と、この移動通信装置３に接続されたデータ受信手段１３と印刷手段１４を備えた画像形成装置４からなり、退避手段２０に保存されているデータを移動通信装置３および画像形成装置４に再送する再送手段２１を固定通信装置２に付加したことにより、移動通信装置３または画像形成装置４にデータ転送することを再度試行できる。
【０１６７】
なお、前記退避手段２０に保存されているデータを画像形成装置４に再送する前記再送手段２１を移動通信装置３にに付加した構成にしてもよい。
【０１６８】
また上述の通り、自動画像印刷システムとしてハードウェア的に実現できることは勿論のこと、「ステップ」として把握し自動画像印刷方法としてソフトウェア的に実現することができることも明らかであり、コンピュータ読取り可能な記録媒体に格納されている。
【０１６９】
記録媒体としては、ＣＤ−ＲやＣＤ−ＲＷ等の読み出し／書き込み可能なディスク、磁気ディスク、半導体メモリその他の記録媒体を用いることができる。
【産業上の利用可能性】
【０１７０】
以上のように本発明の自動画像印刷システム及びその方法は、受信データの種類に応じて最適な印刷手段を選択し印刷する印刷システムであって、受信データをユーザーがデータ処理し、その処理したデータに最適な印刷手段を自動的に選択できるという効果を有し、様々な印刷制御システムに有用である。
【図面の簡単な説明】
【０１７１】
【図１】本発明の実施例１における自動画像印刷システムの構成図
【図２】本発明の実施例１における自動画像印刷方法の動作を示すフローチャート
【図３】本発明の実施例２における固定通信装置のブロック図
【図４】本発明の実施例２における自動画像印刷方法の動作を示すフローチャート
【図５】本発明の実施例２における自動画像印刷システムの構成の一例を示す説明図
【図６】本発明の実施例２における印刷優先順位設定の一例を示す説明図
【図７】本発明の実施例３における固定通信装置のブロック図
【図８】本発明の実施例３における自動画像印刷方法の動作を示すフローチャート
【図９】本発明の実施例４における固定通信装置のブロック図
【図１０】本発明の実施例４における自動画像印刷方法の動作を示すフローチャート
【図１１】本発明の実施例５における固定通信装置のブロック図
【図１２】本発明の実施例５における自動画像印刷方法の動作を示すフローチャート
【図１３】本発明の実施例６における固定通信装置のブロック図
【図１４】本発明の実施例６における自動画像印刷方法の動作を示すフローチャート
【図１５】本発明の実施例６における最適画像保存方法設定の一例を示す説明図
【図１６】本発明の実施例７における固定通信装置のブロック図
【図１７】本発明の実施例７における自動画像印刷方法の動作を示すフローチャート
【図１８】本発明の実施例８における固定通信装置のブロック図
【図１９】本発明の実施例８における自動画像印刷方法の動作を示すフローチャート
【図２０】従来の固定通信装置の内部構成を示すブロック図
【図２１】従来の固定通信装置のＦＡＸ受信ジョブ処理を示すフローチャート
【符号の説明】
【０１７２】
１    自動画像印刷システム
２    固定通信装置
３    移動通信装置
４    画像形成装置
５    ＦＡＸ受信手段
６    データ判別手段
７    画像処理変換手段
８    最適印刷選択手段
９，１４    印刷手段
１０    通信手段
１１    表示手段
１２    無線通信手段
１３    データ受信手段
１５    優先順位決定手段
１６    外部データ保存手段
１７    データ選択手段
１８    残容量取得手段
１９    最適画像保存手段
２０    退避手段
２１    再送手段
２２    外部記憶装置
２３    カラー印刷手段Ａ
２４    モノクロ印刷手段Ａ
２５    カラー印刷手段Ｂ
【図１】
2006166304.tif 000003
【図２】
2006166304.tif 000004
【図３】
2006166304.tif 000005
【図４】
2006166304.tif 000006
【図５】
2006166304.tif 000007
【図６】
2006166304.tif 000008
【図７】
2006166304.tif 000009
【図８】
2006166304.tif 000010
【図９】
2006166304.tif 000011
【図１０】
2006166304.tif 000012
【図１１】
2006166304.tif 000013
【図１２】
2006166304.tif 000014
【図１３】
2006166304.tif 000015
【図１４】
2006166304.tif 000016
【図１５】
2006166304.tif 000017
【図１６】
2006166304.tif 000018
【図１７】
2006166304.tif 000019
【図１８】
2006166304.tif 000020
【図１９】
2006166304.tif 000021
【図２０】
2006166304.tif 000022
【図２１】
2006166304.tif 000023